(57)【要約】【課題】  自車両の周囲方向を複数の撮像手段で撮像して表示手段に選択的に表示するに際して、当該表示手段における撮像画像の表示領域を広く確保しつつ撮像方向を直観的に把握することのできる車両用表示装置を提供する。【解決手段】  液晶表示器（第１表示手段）３と、自車両を基点に外界を撮像する複数の撮像手段５０，５１，５２，５３と、複数の撮像手段５０，５１，５２，５３のうち少なくとも一つで構成した撮像コンテント３０を含む複数のコンテンツを切り替えて液晶表示器３に表示させる制御手段４と、を備えた車両用表示装置１であって、制御手段４は、液晶表示器３に撮像コンテント３０を表示させると共に、撮像コンテント３０における自車両Ａの方向に対応する液晶表示器３の端部に、自車両Ａの方向を示す自車両方向画像３０１，３０２を表示させる。【選択図】  図５
2015198410.tif 000002
【特許請求の範囲】
【請求項１】
表示手段と、
自車両を基点に外界を撮像する複数の撮像手段と、
前記複数の撮像手段のうち少なくとも一つで構成した撮像コンテントを含む複数のコンテンツを切り替えて前記表示手段に表示させる制御手段と、
を備えた車両用表示装置であって、
前記制御手段は、前記表示手段に前記撮像コンテントを表示させると共に、前記撮像コンテントにおける自車両の方向に対応する前記表示手段の端部に、前記自車両の方向を示す自車両方向画像を表示させる
ことを特徴とする車両用表示装置。
【請求項２】
前記制御手段は、前記撮像コンテントとは異なる他のコンテントから前記撮像コンテントに切り替えて前記表示手段に表示させる際に、前記自車両方向画像を自車両を模した第１自車両方向画像から、前記第１自車両方向画像よりも抽象化した第２自車両方向画像に切り替えて表示させる
ことを特徴とする請求項１に記載の車両用表示装置。
【請求項３】
前記制御手段は、前記撮像コンテントとは異なる他のコンテントから前記撮像コンテントに切り替えて前記表示手段に表示させる際に、前記自車両方向画像を基点として前記撮像コンテントの表示領域を増大させてコンテントを切り替える
ことを特徴とする請求項１または請求項２に記載の車両用表示装置。
【請求項４】
第１表示手段と、
自車両を基点に外界を撮像する複数の撮像手段と、
前記複数の撮像手段のうち少なくとも一つで構成した撮像コンテントを含む複数のコンテンツを切り替えて前記第１表示手段に表示させる制御手段と、
を備えた車両用表示装置であって、
前記第１表示手段の前記撮像コンテンツにおける自車両の方向に対応する端部近傍に、前記自車両の方向を示す第２表示手段を備え、
前記制御手段は、前記第１表示手段に前記撮像コンテントを表示させると共に、前記撮像コンテントにおける自車両の方向に対応する前記第２表示手段を光輝させる
ことを特徴とする車両用表示装置。
【請求項５】
前記制御手段は、前記撮像コンテントとは異なる他のコンテントから前記撮像コンテントに切り替えて前記表示手段に表示させる際に、前記撮像コンテントにおける自車両の方向に対応する前記第１表示手段の端部に、前記自車両の方向を示す自車両方向画像を表示させてから、前記第２表示手段を光輝させる
ことを特徴とする請求項４に記載の車両用表示装置。
【請求項６】
前記制御手段は、前記撮像コンテントとは異なる他のコンテントから前記撮像コンテントに切り替えて前記表示手段に表示させる際に、光輝している前記第２表示手段に隣接する前記第１表示手段の端部を基点として前記撮像コンテントの表示領域を増大させてコンテントを切り替える
ことを特徴とする請求項４または請求項５に記載の車両用表示装置。
【発明の詳細な説明】
【技術分野】
【０００１】
本発明は、自車両の周囲方向を複数の撮像手段で撮像して表示手段に選択的に表示するに際して、当該表示手段における撮像画像の表示領域を広く確保しつつ撮像方向を直観的に把握することのできる車両用表示装置に関する。
【背景技術】
【０００２】
従来、自車両の周囲方向を撮像するカメラを複数備えた車両用表示装置において、複数のカメラの撮像画像のうち一つを選択的にディスプレイに表示する際に、選択されたカメラの撮像方向を表す文字を撮像画像に重畳させて表示する技術が、特許文献１に開示されている。
【０００３】
また、特許文献２には、自車両を中心とした俯瞰画像と共に選択されたカメラの撮像画像をディスプレイに表示し、俯瞰画像で表される各カメラの撮像エリアと選択されたカメラの撮像画像との関係性を強調線などで関連付けて表示する技術が開示されている。
【先行技術文献】
【特許文献】
【０００４】
【特許文献１】特開平１１−２６１９９８号公報
【特許文献２】特開２００８−１７３１１号公報
【発明の概要】
【発明が解決しようとする課題】
【０００５】
しかしながら、特許文献１に開示されている技術においては、選択されたカメラの撮像画像の撮像方向を文字によってディスプレイに表示していることから、視認者は当該文字を読まなければならないため直観的に撮像画像が自車両の周囲のどこを撮像しているものなのか直観的でなく、改善の余地がある。
【０００６】
また、特許文献２に開示されている技術においては、俯瞰画像と撮像画像をディスプレイに表示する構成上、特許文献１に比べ直観的であるものの、撮像画像を表示する領域が狭くなり撮像画像の視認性が落ちるという欠点があった。
【０００７】
そこで、本発明は上述した課題を鑑みて、自車両の周囲方向を複数の撮像手段で撮像して表示手段に選択的に表示するに際して、当該表示手段における撮像画像の表示領域を広く確保しつつ撮像方向を直観的に把握することのできる車両用表示装置を提供することを目的とする。
【課題を解決するための手段】
【０００８】
本発明に係る車両用表示装置は、
表示手段と、
自車両を基点に外界を撮像する複数の撮像手段と、
前記複数の撮像手段のうち少なくとも一つで構成した撮像コンテントを含む複数のコンテンツを切り替えて前記表示手段に表示させる制御手段と、
を備えた車両用表示装置であって、
前記制御手段は、前記表示手段に前記撮像コンテントを表示させると共に、前記撮像コンテントにおける自車両の方向に対応する前記表示手段の端部に、前記自車両の方向を示す自車両方向画像を表示させる。
【０００９】
また、好ましくは、本発明に係る車両用表示装置の
前記制御手段は、前記撮像コンテントとは異なる他のコンテントから前記撮像コンテントに切り替えて前記表示手段に表示させる際に、前記自車両方向画像を自車両を模した第１自車両方向画像から、前記第１自車両方向画像よりも抽象化した第２自車両方向画像に切り替えて表示させる。
【００１０】
また、好ましくは、本発明に係る車両用表示装置の
前記制御手段は、前記撮像コンテントとは異なる他のコンテントから前記撮像コンテントに切り替えて前記表示手段に表示させる際に、前記自車両方向画像を基点として前記撮像コンテントの表示領域を増大させてコンテントを切り替える。
【００１１】
または、本発明に係る車両用表示装置は、
第１表示手段と、
自車両を基点に外界を撮像する複数の撮像手段と、
前記複数の撮像手段のうち少なくとも一つで構成した撮像コンテントを含む複数のコンテンツを切り替えて前記第１表示手段に表示させる制御手段と、
を備えた車両用表示装置であって、
前記第１表示手段の前記撮像コンテンツにおける自車両の方向に対応する端部近傍に、前記自車両の方向を示す第２表示手段を備え、
前記制御手段は、前記第１表示手段に前記撮像コンテントを表示させると共に、前記撮像コンテントにおける自車両の方向に対応する前記第２表示手段を光輝させる。
【００１２】
また、好ましくは、本発明に係る車両用表示装置の
前記制御手段は、前記撮像コンテントとは異なる他のコンテントから前記撮像コンテントに切り替えて前記表示手段に表示させる際に、前記撮像コンテントにおける自車両の方向に対応する前記第１表示手段の端部に、前記自車両の方向を示す自車両方向画像を表示させてから、前記第２表示手段を光輝させる。
【００１３】
また、好ましくは、本発明に係る車両用表示装置の
前記制御手段は、前記撮像コンテントとは異なる他のコンテントから前記撮像コンテントに切り替えて前記表示手段に表示させる際に、光輝している前記第２表示手段に隣接する前記第１表示手段の端部を基点として前記撮像コンテントの表示領域を増大させてコンテントを切り替える。
【発明の効果】
【００１４】
本発明によれば、自車両の周囲方向を複数の撮像手段で撮像して表示手段に選択的に表示するに際して、当該表示手段における撮像画像の表示領域を広く確保しつつ撮像方向を直観的に把握することのできる車両用表示装置を提供できる。
【図面の簡単な説明】
【００１５】
【図１】本発明の第１実施形態の正面図である。
【図２】本発明の第１実施形態の電気的構成図である。
【図３】本発明の第１，第２実施形態における撮像手段の撮像範囲を示す図である。
【図４】本発明の第１，第２実施形態における表示コンテンツを示す図である。同図における（ａ）は撮像コンテント、（ｂ）は補助計器コンテント（他のコンテント）が表示手段３に表示される様子を示している。
【図５】本発明の第１実施形態における他のコンテントから右方撮像手段による撮像コンテントへの切替表示を示す図である。
【図６】本発明の第１実施形態における他のコンテントから後方撮像手段による撮像コンテントへの切替表示を示す図である。
【図７】本発明の第２実施形態の正面図である。
【図８】本発明の第２実施形態の電気的構成図である。
【発明を実施するための形態】
【００１６】
以下、添付図面に基づいて、本発明の実施形態を説明する。
【００１７】
（第１実施形態）
本発明の第１実施形態に係る車両用表示装置１は、指針式計器２と、液晶表示器（第１表示手段）３と、制御手段４を備える。
【００１８】
車両用表示装置１は、例えばＣＡＮ（Controller Area Network）やＭＯＳＴ（Media Oriented Systems Transport）などの車両内の各種機器間でデータを相互に通信するための通信規格に準じた通信路で構成したＬＡＮ６と接続し、ＬＡＮ６を介して自車両の走行速度やエンジン回転数、残燃料量、自車両の警告情報などの各種車両情報や、撮像手段５が撮像した自車両の周囲を撮像した映像を入力し、制御手段４の制御により指針式計器２や液晶表示器３に適宜表示する。
【００１９】
指針式計器２は、後述する制御手段４の制御に応じて、文字板に形成した指標部を指針で指示して計測値を表示する。
【００２０】
液晶表示器３は、例えば、薄膜トランジスタ型カラー液晶モジュールからなるものであり、後述する制御手段４の制御に応じて、画像を表示する。なお、液晶表示器３は、有機ＥＬ（Electro Luminescence）モジュールで代替してもよい。
【００２１】
制御手段４は、例えば、ＣＰＵ、ＲＡＭ、ＲＯＭ、タイマ、外部周辺機器と通信するための入出力を備えたマイクロコントローラからなり、指針式計器２と、液晶表示器３と、ＬＡＮ６を介して撮像手段５と接続している。
制御手段４は、ＬＡＮ６を介して各種車両情報と撮像手段５が撮像した映像が入力されると、それに応じて、指針式計器２に自車両の走行速度を表示させると共に、液晶表示器３に後述するコンテンツを適宜切り替えて表示させる。
【００２２】
撮像手段５は、例えば、ＣＣＤ（Charge Coupled Device）やＣＭＯＳ（Complementary Metal Oxide Semiconductor）などの撮像素子と、撮像素子に対向して設けたレンズとを有するカメラからなり、撮像素子によって撮像された映像を、ＬＡＮ６を介して制御手段４に出力する。
【００２３】
また、撮像手段５は、図３に示すように、自車両Ａの前方の領域Ｆ０を撮像する撮像手段５０と、自車両Ａの左方の領域Ｆ１を撮像する撮像手段５１と、自車両Ａの後方の領域Ｆ２を撮像する撮像手段５２と、自車両Ａの右方の領域Ｆ３を撮像する撮像手段５３と、からなる自車両Ａの周囲を撮像する複数の撮像手段から構成する。
【００２４】
次に、制御手段４が液晶表示器３に表示させるコンテンツおよび、コンテントの切り替えについて説明する。
【００２５】
制御手段４は、撮像手段５０，５１，５２，５３のうち一つを液晶表示器３に表示する撮像コンテント３０と、各種警告情報や平均燃費、残燃料量を液晶表示器３に表示する補助計器コンテント（他のコンテント）３１と、を切り替えて液晶表示器３に表示させる。
【００２６】
制御手段４は、初期状態で補助計器コンテント３１を液晶表示器３に表示させ、ＬＡＮ６より入力された各種車両情報が所定条件を満たすと、補助計器コンテント３１から撮像コンテント３０に表示を切り替える。また、撮像コンテント３０は、複数の撮像手段５０、５１、５２、５３から当該所定条件に対応するものが１つ選択される。
【００２７】
具体的な当該所定条件と撮像コンテント３０の組み合わせとしては、ＬＡＮ６より自車両の警告情報として、自車両の右側後方より他の車両が迫っているとの情報が入力されたことを所定条件として、自車両Ａの右方の領域Ｆ３を撮像する撮像手段５３を撮像コンテント３０として選択する組み合わせや、自車両のギアポジションがＲ（リバース）となったことを所定条件として、自車両Ａの後方の領域Ｆ２を撮像する撮像手段５２を撮像コンテント３０として選択する組み合わせとして構成する。
【００２８】
また、制御手段４は、補助計器コンテント３１から撮像コンテント３０に表示を切り替えるのに際して、図５および図６の時間Ｔ１からＴ８に至る表示遷移を行う。
【００２９】
図５は、ＬＡＮ６より自車両の警告情報として、自車両の右側後方より他の車両が迫っているとの情報が入力されたことを所定条件として、自車両Ａの右方の領域Ｆ３を撮像する撮像手段５３を撮像コンテント３０として選択して、補助計器コンテント３１から撮像コンテント３０として切り替える際の表示遷移を示したものである。
まず、図５の時間Ｔ１からＴ２において、制御手段４は、補助計器コンテント３１の左端から自車両を模した自車両方向画像（第１自車両方向画像）３０１を出現させる。
次に、制御手段４は、時間Ｔ３からＴ４において、自車両方向画像３０１を左方向へ消失させると共に、自車両方向画像３０１よりも抽象的且つ表示面積の少ない線分で構成した自車両方向画像（第２自車両方向画像）３０２に切り替える。この際、自車両方向画像３０２は、補助計器コンテント３１の左端に表示する。
次に、制御手段４は、時間Ｔ５からＴ８にかけて、自車両方向画像３０２を基点に撮像コンテント３０を回転させるように補助計器コンテント３１を徐々に覆って、撮像コンテント３０へ切り替えて表示する。
【００３０】
また、図６は、自車両のギアポジションがＲ（リバース）となったことを所定条件として、自車両Ａの後方の領域Ｆ２を撮像する撮像手段５２を撮像コンテント３０として選択して、補助計器コンテント３１から撮像コンテント３０として切り替える際の表示遷移を示したものである。
まず、図６の時間Ｔ１からＴ２において、制御手段４は、補助計器コンテント３１の上端から自車両を模した自車両方向画像３０１を出現させる。
次に、制御手段４は、時間Ｔ３からＴ４において、自車両方向画像３０１を上端方向へ消失させると共に、自車両方向画像よりも抽象的且つ表示面積の少ない線分で構成した自車両方向画像３０２に切り替える。この際、自車両方向画像３０２は、補助計器コンテント３１の上端に表示する。
次に、制御手段４は、時間Ｔ５からＴ８にかけて、自車両方向画像３０２を基点に撮像コンテントの領域を増大させるように補助計器コンテント３１を徐々に覆って、撮像コンテント３０へ切り替えて表示する。
【００３１】
このように構成することで、図５および図６のＴ１からＴ２において、撮像コンテント３０における自車両の方向に対応する表示手段３の表示領域端部から、自車両を模した車両方向画像３０１を出現させて表示することで、補助計器コンテント３１からどの撮像範囲を撮像する撮像手段５なのかを直観的に把握することができる。
【００３２】
また、図５および図６のＴ３からＴ４において、、自車両を模した自車両方向画像３０１から、自車両方向画像よりも抽象的に表現し、且つ、表示面積の少ない自車両方向画像３０２へ切り替えることで、自車両方向画像３０２と自車両方向画像３０１とが同一の意味を持つオブジェクトであることを視認者に継続して意識させることができると共に、撮像コンテント３０の表示面積を大きく確保することができる。
【００３３】
また、図５および図６のＴ５からＴ８において、自車両方向画像３０２を基点として、撮像コンテント３０が表示される面積を徐々に増大させて補助計器コンテント３１から切り替えることで、撮像コンテント３０と、撮像コンテント３０おける自車両の位置を示す自車両方向画像３０２との関連性を強く運転者に意識させることができる。
【００３４】
また、図５のＴ５からＴ８と、図６のＴ５からＴ８において、撮像手段の撮像方向によって、自車両方向画像３０２を基点として、撮像コンテント３０が表示される面積を徐々に増大させて補助計器コンテント３１から切り替える表現を異ならせることで、どの撮像手段に切り替わるものなのかを運転者が識別しやすくなる。
【００３５】
以上、本発明の第１実施形態を示したが、次に示す第２実施形態として構成してもよい。
【００３６】
（第２実施形態）
本発明の第２実施形態に係る車両用表示装置１は、第１実施形態の構成に加えて、第１実施形態の自車両方向画像（第２自車両方向画像）３０２の代替として機能する自車両方向表示器（第２表示手段）７を、液晶表示器（第１表示手段）３の四方を囲むように備える。
【００３７】
自車両方向表示器７は、液晶表示器３の上に備えられる自車両方向表示器７０と、液晶表示器３の左に備えられる自車両方向表示器７１と、液晶表示器３の下に備えられる自車両方向表示器７２と、液晶表示器３の右に備えられる自車両方向表示器７３とで構成する。また、自車両方向表示器７は、ＬＥＤなどの光源と、光源の光を透過して覆う透光加飾部材からなり、制御手段４に制御されて光輝する。
【００３８】
制御手段４は、補助計器コンテント３１から撮像コンテント３０に表示を切り替えるのに際して、第１実施形態の車両方向画像３０２を液晶表示器３に表示させる代わりに、対応する自車両方向画像７を光輝させる。
【００３９】
第１実施形態と対比させて説明すると、図５に示すＬＡＮ６より自車両の警告情報として、自車両の右側後方より他の車両が迫っているとの情報が入力されたことを所定条件として、自車両Ａの右方の領域Ｆ３を撮像する撮像手段５３を撮像コンテント３０として選択して、補助計器コンテント３１から撮像コンテント３０として切り替える際の表示遷移においては、Ｔ４〜Ｔ８にかけて車両両方向画像３０２の代わりに自車両方向表示器７１を光輝させる。
また、図６に示す自車両のギアポジションがＲ（リバース）となったことを所定条件として、自車両Ａの後方の領域Ｆ２を撮像する撮像手段５２を撮像コンテント３０として選択して、補助計器コンテント３１から撮像コンテント３０として切り替える際の表示遷移においては、Ｔ４〜Ｔ８にかけて車両両方向画像３０２の代わりに自車両方向表示器７０を光輝させる。
【００４０】
このように構成することで、第１実施形態で示した効果を得ると共に、第１実施形態に比べ撮像コンテント３０の表示面積を大きく確保することができる。
【産業上の利用可能性】
【００４１】
本発明は、例えば、自動車やオートバイ、あるいは農業機械や建築機械を備えた移動体に搭載される車両情報の表示装置として好適である。
【符号の説明】
【００４２】
１      …車両用表示装置
２      …指針式計器
３      …液晶表示器（第１表示手段）
３０    …撮像コンテント
３０１  …自車両方向画像（第１自車両方向画像）
３０２  …自車両方向画像（第２自車両方向画像）
３１    …補助計器コンテント（他のコンテント）
４      …制御手段
５      …撮像手段
５０    …前方撮像手段
５１    …左方撮像手段
５２    …後方撮像手段
５３    …右方撮像手段
６      …ＬＡＮ
７      …自車方向表示器（第２表示手段）
７０    …自車方向表示器
７１    …自車方向表示器
７２    …自車方向表示器
７３    …自車方向表示器
Ａ      …自車両
Ｆ０    …前方撮像範囲
Ｆ１    …左方撮像範囲
Ｆ２    …後方撮像範囲
Ｆ３    …右方撮像範囲
【図１】
2015198410.tif 000003
【図２】
2015198410.tif 000004
【図３】
2015198410.tif 000005
【図４】
2015198410.tif 000006
【図５】
2015198410.tif 000007
【図６】
2015198410.tif 000008
【図７】
2015198410.tif 000009
【図８】
2015198410.tif 000010